(57)【要約】【課題】  薄型で見栄えのよいストラップ用長さ調整具を提供する。【解決手段】  無端帯状のストラップ２における２本の帯状紐２ｂを重ねて挿通可能な挿通孔１１を有する開閉可能な調整具本体５の一方の開口端に、一方の帯状紐２ｂを挿通する切欠きを有する抜け止め片７を、上記開口端との間に紐通し孔１２が形成されるようにして一体的に突設する。【選択図】  図３
2006167217.tif 000002
【特許請求の範囲】
【請求項１】
無端帯状をなすストラップにおける２本の帯状紐を重ねて挿通可能な挿通孔を有する調整具本体の少なくとも一方の開口端に、前記２本の帯状紐の一方を挿通するためのスリット状の切欠きを有する抜け止め片を、前記開口端との間に前記挿通孔と連続する紐通し孔が形成されるようにして一体的に突設したことを特徴とするストラップ用長さ調整具。
【請求項２】
調整具本体を、一側端にヒンジ部を有するとともに、他側端に係止手段を備え、ストラップの厚さ方向に開閉可能な１対の挟持板からなるバタフライ形状とした請求項１に記載のストラップ用長さ調整具。
【請求項３】
調整具本体に、挿通孔内に突入することにより、帯状紐の外面に圧接する弾性押圧片を設けた請求項１または２に記載のストラップ用調整具。
【請求項４】
抜け止め片に、ストラップの一端方向に突出するストッパ片を設けた請求項１ないし３のいずれかに記載のストラップ用長さ調整具。
【請求項５】
ストッパ片を、抜け止め片における帯状紐の幅方向の中央部に位置するように設けた請求項４に記載のストラップ用長さ調整具。
【請求項６】
スリット状の切欠きを、抜け止め片の中央部に設けた請求項１ないし５のいずれかに記載のストラップ用長さ調整具。
【請求項７】
抜け止め片を、帯状紐の厚さ方向に弾性変形しうるようにした請求項１ないし６のいずれかに記載のストラップ用長さ調整具。
【発明の詳細な説明】
【技術分野】
【０００１】
本発明は、無端帯状をなすストラップにスライド可能に取付けることにより、一端側に形成されるループ部の長さを調整するのに用いられるストラップ用長さ調整具に関する。
【背景技術】
【０００２】
図１０に示すように、例えば身分証明書ａ等を、無端帯状のストラップｂの一端に取付けたクリップｃにより挟持し、他端部を首に掛けて身体の前部に吊支するような場合には、ストラップが頭部から簡単に抜け落ちるのを防止したり、簡単に頭部から抜き外したりするために、首に掛けた他端部のループ部ｄの長さを、２本の帯状紐にスライド可能に取付けた長さ調整具ｅにより調整しうるようにしている。
【発明の開示】
【発明が解決しようとする課題】
【０００３】
上述した従来の長さ調整具ｅは、図１１に拡大して示すように、ストラップの長さ方向の両端が開口する角筒状をなし、その内部には、中央の抜け止め片ｆを挟んで２つの扁平な挿通孔ｇ，ｇが形成され、かつ上板と下板とには、各挿通孔ｇに連通する傾斜状の紐通し溝ｈ，ｈが形成されている。長さ調整具ｅをストラップｂに取付けるには、２本の帯状紐を上下の紐通し溝ｈにより各挿通孔ｇに挿入して行われる。
【０００４】
このような従来の長さ調整具ｅでは、抜け止め片ｆが中央に位置し、それを挟む両側に２つの挿入孔ｇが形成されているため、長さ調整具の厚さがストラップの厚さに対してかなり大となり、見栄えが悪い。
【０００５】
また、分別廃棄する際など、長さ調整具を取り外す必要が生じたときに、挿通孔に一端挿入された帯状紐を紐通し溝より抜き外すことは難しく、特に、ストラップが比較的硬い場合には一層困難となる。
【０００６】
さらに、挿通孔の上下寸法は、ストラップとの間に適度の摩擦力が得られるように、その厚さに対応して設計されるため、ストラップの厚さが異なる場合には、それ専用の厚さ調整具を製作しなければならず、コスト高となる。
【０００７】
本発明は、上記問題点を解決するためになされたもので、薄型で見栄えがよく、かつストラップへの取付け、取外しを容易に行うことができ、さらに、異なる厚さのストラップにも取付け得るようにしたストラップ用長さ調整具を提供することを目的としている。
【課題を解決するための手段】
【０００８】
上記目的を達成するために、本発明の請求項１に記載のストラップ用長さ調整具は、無端帯状をなすストラップにおける２本の帯状紐を重ねて挿通可能な挿通孔を有する調整具本体の少なくとも一方の開口端に、前記２本の帯状紐の一方を挿通するためのスリット状の切欠きを有する抜け止め片を、前記開口端との間に前記挿通孔と連続する紐通し孔が形成されるようにして一体的に突設したことを特徴としている。
この特徴によれば、調整具本体には、ストラップの２本の帯状紐を重ねて挿通する挿通孔のみが設けられ、その少なくとも一方の開口端に、一方の帯状紐を挿通する切欠きを有する抜け止め片を設けているため、長さ調整具は必然的に薄型となり、見栄えがよくなる。
【０００９】
本発明の請求項２に記載のストラップ用長さ調整具は、請求項１に記載の長さ調整具であって、調整具本体を、一側端にヒンジ部を有するとともに、他側端に係止手段を備え、ストラップの厚さ方向に開閉可能な１対の挟持板からなるバタフライ形状としたことを特徴としている。
この特徴によれば、単にストラップの２本の帯状紐を１対の挟持板により両面から挟み込み、係止手段により係着するのみで、長さ調整具を極めて容易にストラップに取付けることができ、かつ係止手段の係合を外せば、簡単に取り外すこともできる。
【００１０】
本発明の請求項３に記載のストラップ用長さ調整具は、請求項１または２に記載の長さ調整具であって、調整具本体に、挿通孔内に突入することにより、帯状紐の外面に圧接する弾性押圧片を設けたことを特徴としている。
この特徴によれば、長さ調整具をスライドさせる際の摩擦力が大となるので、ストラップの一端側のループ部の長さを調整した後において、長さ調整具の位置が妄りにずれるのが防止される。
また、調整具本体の挿通孔を若干大き目に設定しておくことにより、複数の異なる厚さのストラップにも、適度の摩擦力を付与した状態で取付けることができる。
【００１１】
本発明の請求項４に記載のストラップ用長さ調整具は、請求項１ないし３のいずれかに記載の長さ調整具であって、抜け止め片に、ストラップの一端方向に突出するストッパ片を設けたことを特徴としている。
この特徴によれば、長さ調整具をストラップの一端までスライドさせた際、ストッパ片の先端がストラップの折曲部の内端に先に当接し、抜け止め片はストラップの折曲端より離間するので、その離間したストラップの端部を指でつまんで、長さ調整具を容易に一端部から他端部に向かってスライドすることができる。
【００１２】
本発明の請求項５に記載のストラップ用長さ調整具は、請求項４に記載の長さ調整具であって、ストッパ片を、抜け止め片における帯状紐の幅方向の中央部に位置するように設けたことを特徴としている。
この特徴によれば、ストッパ片がストラップの折曲端に当接したとき、ストッパ片を挟む両側の抜け止め片がストラップの折曲端より離間し、ストラップの端部の把持領域が増えるので、長さ調整具をよりスライドさせ易くなる。
また、ストッパ片が外部より見えにくくなるので、見栄えもよくなる。
【００１３】
本発明の請求項６に記載のストラップ用長さ調整具は、請求項１ないし５のいずれかに記載の長さ調整具であって、スリット状の切欠きを、抜け止め片の中央部に設けたことを特徴としている。
この特徴によれば、一方の帯状紐を、幅方向に大きく折り曲げることなく、切欠きを通して紐通し孔に簡単に挿脱することができる。
また、切欠きが外部より見えにくいので、見栄えもよくなる。
【００１４】
本発明の請求項７に記載のストラップ用長さ調整具は、請求項１ないし６のいずれかにに記載の長さ調整具であって、抜け止め片を、帯状紐の厚さ方向に弾性変形しうるようにしたことを特徴としている。
この特徴によれば、抜け止め片を厚さ方向に弾性変形させると、切欠きが大きく開口するので、一方の帯状紐の紐通し孔への挿脱がより簡単となる。
また、紐通し孔への挿脱が簡単となることから、ストラップの長さ方向の紐通し孔の寸法を小さくすることができ、その分、長さ調整具をスライドさせる際の摩擦力が増大するため、長さ調整具が位置ずれしにくくなる。
【発明を実施するための最良の形態】
【００１５】
以下、本発明の実施形態を図面に基づいて説明する。
【００１６】
図１は、本発明の第１の実施形態の長さ調整具１をストラップ２に取付た状態の平面図で、前述したように、長さ調整具１は、例えば身分証明書３等を、無端帯状のストラップ２の一端に取付けたクリップ４により挟持し、他端部を首に掛けて吊支する際などに、他端部のループ部２ａの長さを調整するために用いられるものである。
【００１７】
図２ないし図７に示すように、長さ調整具１は、合成樹脂により形成された上下１対の挟持板５ａ，５ｂよりなる調整具本体５と、上部の挟持板５ａの一端面に突設され、中央部のスリット状の切欠き６を挟んで対向する１対の抜け止め片７，７とを備え、両挟持板５ａ，５ｂの一側端同士を、薄肉とした樹脂ヒンジ部８により連結することにより、調整具本体５は、ストラップ２の厚さ方向に開閉可能なバタフライ形状とされている。
【００１８】
上下の挟持板５ａ，５ｂは、ストラップ２の長さ方向の端面が同方向に円弧状に湾曲する扁平な長方形に形成され、それらの他側端部に形成された係止手段、すなわち上部の挟持板５ａに形成された係止孔９に、下部の挟持板５ｂに形成された係止爪１０を係合することにより、両挟持板５ａ，５ｂが閉じられた使用状態となる（図２〜図４参照）。また、係止爪１０を係合孔９より外すことにより、両挟持板５ａ，５ｂは開かれる（図５〜図７参照）。
【００１９】
両挟持板５ａ，５ｂの対向面間には、ストラップ２の２本の帯状紐２ｂを重ねて挿通可能な挿通孔１１が形成されている。上記抜け止め片７は、上部の挟持板５ｂにおけるストラップ２のループ部２ａ側の側面に、挿通孔１１とほぼ対向するようにして、かつ上部の挟持板５ａの端面との間に、挿通孔１１と連続する紐通し孔１２が形成されるようにして突設されている。
【００２０】
なお、両抜け止め片７は、厚さ方向に弾性変形しうるように若干薄肉に形成され、一方の抜け止め片７を弾性変形させて切欠き６を拡げることにより、一方の帯状紐２ｂが通し易くなる。また、両方の抜け止め片７を弾性変形させると、紐通し孔１２への２本の帯状紐２ｂの挿脱が容易となるため、ストラップ２の長さ方向の紐通し孔１２の開口寸法を小さくすることができ、長さ調整具１をスライドさせる際の摩擦力を大として、その位置が妄りにずれるのを防止することができる。
【００２１】
両抜け止め片７における切欠き６を挟む中央の対向部には、ストラップ２のループ部２ａ側に突出するストッパ片１３，１３が一体的に連設されている。このストッパ片１３は、図２及び図３に示すように、長さ調整具１をループ部２ａの端部までスライドさせたとき、その折曲部の内端にストッパ片１３の先端が当接し、抜け止め片７を折曲端より離間させるもので、このようにすると、その離間したストラップ２の端部を指でつまんで、長さ調整具１を容易に他端側にスライドすることができる。なお、ストッパ片１３は、上記実施形態よりも長くしてもよく、このようにすると、長さ調整具１をよりスライドし易くなる。
【００２２】
下部の挟持板５ｂの中央部には、方形孔１４が形成され、その抜け止め片７と反対側の開口縁には、上方、すなわち挿通孔１１内に突入する弾性押圧片１５が一体成形されている。
【００２３】
この弾性押圧片１５は、図３に示すように、挿通孔１１に挿通した２本の帯状紐２ｂの一方の外面に圧接して、その摩擦力により、長さ調整具１をスライドさせる際に抵抗力を付与するとともに、ループ部２ａの長さを調整した後、妄りに位置ずれするのを防止するためのものである。また、このような弾性押圧片１５を設けると、挿通孔１１を若干大き目に形成することにより、複数の異なる厚さのストラップにも、適度の摩擦力を付与した状態で取付けることができる。
【００２４】
このように構成された長さ調整具１をストラップ２に取付けるには、図５に示すように、上下の挟持板５ａ，５ｂを開いた状態とし、ストラップ２の任意の位置において、その２本の帯状紐２ｂを、挿通孔１１に位置させるようにして重ねて挟持し、係合孔９に係止爪１０を係合させる。
【００２５】
次いで、ループ部２ａ側の一方の帯状紐２ｂを、抜け止め片７間の切欠き６を通して外方に引き出し、両抜け止め片７を、図３に示すように、重ねた帯状紐２ｂの間に位置させればよい。
【００２６】
以上説明したように、上記第１の実施形態の長さ調整具１においては、調整具本体５を開閉可能なバタフライ形状としているため、ストラップ２の任意の位置への取付け、取外しを極めて容易に行うことができる。
【００２７】
また、調整具本体５には、２本の帯状紐２ｂを重ねて挿通する挿通孔１１のみが設けられ、抜け止め片７は、上部の挟持板５ａの一端面に突設されているため、従来のように、長さ調整具１の厚さが大となることはない。
【００２８】
図８及び図９は、それぞれ本発明の長さ調整具の第２及び第３の実施形態を示す斜視図である。
【００２９】
図８に示す長さ調整具１６は、調整具本体１７を、２本の帯状紐２ｂを重ねて挿通可能な挿通孔１８を有する扁平な角筒形とし、その一方の開口端に、中央部に切欠き１９を有するとともに、ストッパ片２０が突設された抜け止め片２１，２１を一体的に設けたものである。
【００３０】
図９に示す長さ調整具２２は、上記と同様の調整具本体２６の一方の開口端に、ストッパ片２３を突設した平面視Ｌ字状の抜け止め片２４を一体的に設け、その遊端と調整具本体１７の端面との間の隙間を切欠き２５としたものである。
【００３１】
これら第２、第３の実施形態においても、調整具本体１７、２６の一端面に抜け止め片２１，２４が設けられているので、長さ調整具１６，２２を薄型化することができる。
【００３２】
なお、これら第２、第３の実施形態においても、上記第１の実施形態と同様の弾性押圧片１５を設けることができる。
【００３３】
以上、本発明の実施例を図面により説明してきたが、具体的な構成はこれら実施例に限られるものではなく、本発明の要旨を逸脱しない範囲における変更や追加があっても本発明に含まれる。
【００３４】
例えば、上記実施形態においては、調整具本体５、１７、２６の一端面にのみ抜け止め片７、２１、２４が突設されていたが、調整具本体５、１７、２６の両端面に抜け止め片７、２１、２４が突設されていてもよい。
【図面の簡単な説明】
【００３５】
【図１】本発明の第１の実施形態の長さ調整具をストラップに取付けた状態の平面図である。
【図２】同じく、長さ調整具の平面図である。
【図３】図２のIII−III線に沿う拡大縦断側面図である。
【図４】同じく、図２のIV−IV線に沿う横断正面図である。
【図５】長さ調整具を開いたときの平面図である。
【図６】図５のVI−VI線に沿う横断正面図である。
【図７】長さ調整具を開いた状態の底面斜視図である。
【図８】本発明の長さ調整具の第２の実施形態を示す斜視図である。
【図９】同じく、第３の実施形態を示す斜視図である。
【図１０】従来の長さ調整具をストラップに取付けた状態の平面図である。
【図１１】同じく、長さ調整具の拡大斜視図である。
【符号の説明】
【００３６】
１、１６、２２  長さ調整具
２      ストラップ
２ａ    ループ部
２ｂ    帯状紐
３      身分証明書
４      クリップ
５、１７、２６  調整具本体
５ａ    上部挟持板
５ｂ    下部挟持板
６、１９、２５  切欠き
７、２１、２４  抜け止め片
８      樹脂ヒンジ部
９      係合孔（係止手段）
１０    係止爪（係止手段）
１１    挿通孔
１２    紐通し孔
１３、２０、２３  ストッパ片
１４    方形孔
１５    弾性押圧片
１６    長さ調整具
１８    挿通孔
【図１】
2006167217.tif 000003
【図２】
2006167217.tif 000004
【図３】
2006167217.tif 000005
【図４】
2006167217.tif 000006
【図５】
2006167217.tif 000007
【図６】
2006167217.tif 000008
【図７】
2006167217.tif 000009
【図８】
2006167217.tif 000010
【図９】
2006167217.tif 000011
【図１０】
2006167217.tif 000012
【図１１】
2006167217.tif 000013